(57)【特許請求の範囲】
【請求項１】
インテークマニホールドにインジェクションノズルを接続するに際し、インジェクションノズルの端面形状に略等しい平面円環の内周から一方に小径円環、該平面円環の外周から他方に大径円環を設けた接続補助材を用いるインテークマニホールドとインジェクションノズルとの接続方法において、まずインテークマニホールドに設けた座面の開孔に接続補助材の小径円環を挿入して該小径円環を押し拡げて形成される屈曲縁を座面の開孔に掛止する円錐台状のかしめ部位により座面に接続補助材を固定した後、該かしめ部位の屈曲縁を座面の開孔にロウ付けし、続いて大径円環にＯリング等のシール材を介装した状態でインジェクションノズルを嵌め込み、最後に該インジェクションノズルをインテークマニホールドに対して位置固定することを特徴とする接続補助材を用いたインテークマニホールドとインジェクションノズルとの接続方法。
【発明の詳細な説明】
【０００１】
【発明の属する技術分野】
本発明は、特定形状の接続補助材を用いてインテークマニホールドに設けた座面の開孔とインジェクションノズルとを接続する方法に関する。
【０００２】
【従来の技術】
自動車等のインテークマニホールドに設けた座面の開孔に対してインジェクションノズルを接続する場合、インジェクションノズルの接続位置を容易に定め、この接続位置及びシール性を安定して確保する目的から、接続補助材を用いる。この接続補助材は、通常エンジンのシリンダヘッド又はインテークマニホールドに設けた座面（平面）に取り付けて、インジェクションノズルを嵌め込むことにより前記目的を達成するもので、シール性確保のためにインジェクションノズルとの間にＯリング等のシール材を介装する。接続位置を安定に保つには、座面に対する接続補助材の接続安定性が問題となり、従来は、（１）接続補助材をTIG溶接（非溶極式のイナートガスアーク溶接で、タングステン又はタングステン合金を電極とする溶接）により座面に仮止めし、（２）接続補助材と座面との接触縁をロウ付けしていた。
【０００３】
【発明が解決しようとする課題】
上述のように、接続補助材の取付には溶接が利用されるが、接続補助材は容易かつ安価に製造するため、一般に薄くかつ小さなものとなり、取付のための溶接により様々な問題が引き起こされている。先に挙げた手順で言えば、（１）TIG溶接を施した部分に対応する接続補助材の内面に歪みが発生し、グラインダー等で削り落とさなければならなかったり、（２）ロウ付けのロウが前記歪み等を通じて接続補助材の内面にまで回り込み、前記同様に削り落とす必要が生じたりする。もしも前記歪み又は侵入したロウの削り落としが不完全になると、（３）接続補助材に内挿したＯリングのシール性が低下する問題が生じるのである。
【０００４】
また、TIG溶接、ロウ付けの２段階による取付は、手間が掛かり、コスト的にも好ましいものではない。そこで、接続補助材を用いてインテークマニホールドとインジェクションノズルとを接続するのに際し、座面に対して接続補助材を取り付ける手間及び労力を削減して作業コストを低減すると共に、接続補助材に歪みが発生せずに十分かつ長期にわたってＯリング等によるシール性が得られるような新たな接続方法について検討した。
【０００５】
【課題を解決するための手段】
検討の結果開発したものが、インテークマニホールドにインジェクションノズルを接続するに際し、インジェクションノズルの端面形状に略等しい平面円環の内周から一方に小径円環、この平面円環の外周から他方に大径円環を設けた接続補助材を用いるインテークマニホールドとインジェクションノズルとの接続方法において、まずインテークマニホールドに設けた座面の開孔に接続補助材の小径円環を挿入してこの小径円環を押し拡げて形成される屈曲縁を座面の開孔に掛止する円錐台状のかしめ部位により座面に接続補助材を固定した後、このかしめ部位の屈曲縁を座面の開孔にロウ付けし、続いて大径円環にＯリング等のシール材を介装した状態でインジェクションノズルを嵌め込み、最後にこのインジェクションノズルをインテークマニホールドに対して位置固定する接続補助材を用いたインテークマニホールドとインジェクションノズルとの接続方法である。
【０００６】
本発明の接続方法は、座面に対する接続補助材の取付手段として、小径円環を押し拡げて形成される屈曲縁を座面の開孔に掛止する円錐台状のかしめ部位による「かしめ」を採用することにより、接続補助材に歪みを発生させず、また小径円環の全体を用いて固定することになるために取付安定性が増す。インジェクションノズルは、インテークマニホールド等との接続安定性及びシール性が求められる。本発明は容易かつ安価に前記接続安定性とシール性とを実現する。
【０００７】
接続補助材の構造は、座面に対する取付手段が小径円環を押し拡げて形成される屈曲縁を座面の開孔に掛止する円錐台状のかしめ部位による「かしめ」であることから、座面の開孔に挿入する小径円環の外径がこの開孔の内径に略等しく、挿入長さがかしめた際に十分な取付強度を確保できる長さであることが望ましい。また、かしめ部位の屈曲縁を座面の開孔にロウ付けすることにより、かしめによる固定をより安定かつ永続的なものとすることができる。
【０００８】
【発明の実施の形態】
以下、本発明の実施形態について、図を参照しながら説明する。図１は本発明の取付方法によって、エンジンのインテークマニホールド１に対してインジェクションノズル２を接続した状態を表した斜視図、図２は前記接続に用いた接続補助材３の一部破断斜視図である。本例は、図１に見られるように、エンジンのシリンダヘッド（図示せず）に取り付けたインテークマニホールド１の取付端近傍にこのインテークマニホールド壁面を変形して形成した座面４に対し、インジェクションノズル２を接続する場合である。
【０００９】
接続補助材３は、図２に見られるように、インジェクションノズル２の端面形状に略等しい平面円環５の内周から図中下方に柱状の小径円環６、前記平面円環５の外周から他方に大径円環７を設けた金属部材で、板材から一体成形により成形したものである。小径円環６の外径は座面４の開孔８（図３以降参照）に略等しく、大径円環７の内径はシール材であるＯリング９（図５参照）を介装した状態でインジェクションノズル２を嵌め込みができる大きさになっている。
【００１０】
図３〜図５は接続手順を表した座面４近傍の部分断面図であり、図３は接続補助材３を装着する段階、図４は接続補助材３の小径円環６を座面４の開孔８に対してかしめている段階、そして図５は接続補助材３の大径円環７にＯリング９を挿入した後インジェクションノズル２を嵌め込んだ段階をそれぞれ表している。図３〜図５を通して明らかなように、座面４の開孔８に対してかしめた小径円環６に歪みが生ぜず、平面円環５が座面４に密着している。これにより、接続補助材３が座面４に対する取付安定性を確保し、かつ大径円環７に装着したＯリング９によるシール性を保証するのである。
【００１１】
まず、図３に見られるように、インテークマニホールド１に設けられた座面４の開孔８に、接続補助材３の小径円環６を挿入する。従来は、この小径円環に相当する部位がなく、平面円環を座面に宛がった状態で溶接していたため、座面に対する接続補助材の位置決めが難しかった。本発明の接続方法では、前述のとおり小径円環６を開孔８に挿入することで簡単に位置決めすることができる。このように、本発明は、接続作業における手間を省きながら、高い位置精度での接続を実現できる利点をも有している。
【００１２】
次いで、図４に見られるように、小径円環６を押し拡げて形成される屈曲縁を座面４の開孔８に掛止する円錐台状のかしめ部位10によりかしめ、接続補助材３を座面４に固定する。このかしめは小径円環６の周方向において等しく実施されるから歪みを発生させる虞が少なく、小径円環６は開孔８に対して内から屈曲縁を圧接して掛止し、平面円環５とかしめ部位10とが座面４を挟持することで、極めて安定した取付を実現するのである。更に、本例ではかしめ部位10の屈曲縁を座面４の開孔８にロウ付けし、安定かつ永続的な接続状態を実現している。
【００１３】
こうして座面４への取付を終えた接続補助材３に対して、図５に見られるように、大径円環７へＯリング９を挿入した後、インジェクションノズル２を嵌め込む。既述したように、インジェクションノズル２は、別の個所でインテークマニホールドに対して位置固定されるから、この接続部位においては、一定の接続状態及びシール性が確保されればよい。図５から明らかなように、歪みのない接続補助材３においては、Ｏリング９が偏って変形することがないため、高いシール性が実現でき、しかも平面円環５と座面４とが密着しているため、接続安定性もまた高くなるのである。
【００１４】
【発明の効果】
本発明の接続方法により、接続作業の手間及び労力を低減しながら、接続補助材によるインテークマニホールドとインジェクションノズルとの接続安定性及びシール性を向上させることができる。前者は製造コストの低減を実現し、後者はより品質がよく、信頼性の高い製品の提供を可能にするのである。
【図面の簡単な説明】
【図１】インテークマニホールドに対するインジェクションノズルの接続状態を表した斜視図である。
【図２】接続補助材の一部破断斜視図である。
【図３】接続補助材を装着する段階を表した座面近傍の部分断面図である。
【図４】接続補助材をかしめている段階を表した座面近傍の部分断面図である。
【図５】接続補助材にインジェクションノズルを嵌め込んだ段階を表した座面近傍の部分断面図である。
【符号の説明】
１インテークマニホールド
２インジェクションノズル
３接続補助材
４座面
５平面円環
６小径円環
７大径円環
８開孔
９Ｏリング
10かしめ部位
【図１】
0003998789.tif 000002
【図２】
0003998789.tif 000003
【図３】
0003998789.tif 000004
【図４】
0003998789.tif 000005
【図５】
0003998789.tif 000006